(57)【特許請求の範囲】
【請求項１】
内部に封入物が封入されて下方に被係合部となる口金をもった略球状の発光部を備えたランプと、同ランプの周囲に設けられて前記封入物を励起させるコイル部と、同コイル部を支持する基台上面に設けられて口金に係合しランプを支持する係合部とを備えた無電極放電ランプ用照明装置であって、
係合部を弾性を有するものとするとともに、ランプがコイル部または基台に着脱自在に係止された押さえ具にてその略球状の上部を押圧されて保持されるようなしたことを特徴とする無電極放電ランプ用照明装置。
【請求項２】
口金を、Ｅベース等の雄ねじの形成されたものとし、係合部にはその雄ねじに対応する雌ねじを形成してなることを特徴とする請求項１記載の無電極放電ランプ用照明装置。
【請求項３】
押さえ具を複数の線材にて形成し、同線材の少なくとも一端にコイル部または基台に設けられた係止部に係止される被係止部を設けたことを特徴とする請求項１又は２記載の無電極放電ランプ用照明装置。
【発明の詳細な説明】
【０００１】
【発明の属する技術分野】
本発明は、内部に封入物が封入された無電極放電ランプを、その周囲に設けられたコイルの磁界にて封入物を励起させ発光させる無電極放電ランプ用照明装置に関するものである。
【０００２】
【従来の技術】
従来から、内部に封入物が封入されて下方に被係合部となる口金をもった略球状の発光部を備えたランプと、同ランプの周囲に設けられて前記封入物を励起させるコイル部と、同コイル部を支持する基台上面に設けられて口金に係合しランプを支持する係合部とを備えた無電極放電ランプ用照明装置がある。
【０００３】
上記ランプは、無電極放電ランプと呼ばれるものであって、内部の封入物として、水銀蒸気のような中圧ないし高圧のイオン化可能ガスを有し、また、上記の口金がその封入物の封止用として設けられている。この封入物は、ランプの周囲に設けられたコイルに高周波電流を通電したときに、ランプ内部に発生する高周波磁界にてアーク放電を生じて励起され発光する。
【０００４】
したがって、上記の無電極放電ランプ用照明装置においては、ランプには故障の原因となる電極が内部に設けられていないためにランプ自体を高寿命のものとすることができる。
【０００５】
【発明が解決しようとする課題】
上記従来の技術においては、効率よくランプを発光させるためにコイルを略球状の発光部の周囲にほぼ均等に密接させる必要がある。すなわち、ランプ内部の、最も効率よく発光可能な位置にアーク放電を発生させるために、コイルをランプの周囲に接着させて設けていた。また、コイルには、そのコイルへ高周波電流を通電するための高周波出力回路を設けた回路基板が接続されており、上記ランプ、コイル及び回路基板が一体化されてランプユニットを構成していた。したがって、例えば長期間使用してランプの発光出力が低下したときに、ランプ単体のみを交換することが実質上不可能で、ランプユニット全体を交換することとなって交換費用が高くなるという問題があった。
【０００６】
ところで、実開平７−２２４０７として、効率的な動作およびランプの容易な取り替えを可能にした無電極放電ランプ用照明装置が提案されている。この場合、口金を有してその内部に光透過性アーク管を備えたする細長のランプを、その口金を受け入れるソケット手段に設けて取り替え可能としており、略球状のランプを取り替え可能とした無電極放電ランプ用照明装置は従来は無い。
【０００７】
本発明は、上記事由に鑑みてなしたもので、その目的とするところは、コイルを略球状のランプ周囲の適切な位置に位置させてランプ自体を効率よく発光させることができて且つランプ単体の交換可能な無電極放電ランプ用照明装置を提供することにある。
【０００８】
【課題を解決するための手段】
上記目的を達成するために、本発明の無電極放電ランプ用照明装置にあっては、内部に封入物が封入されて下方に被係合部となる口金をもった略球状の発光部を備えたランプと、同ランプの周囲に設けられて前記封入物を励起させるコイル部と、同コイル部を支持する基台上面に設けられて口金に係合しランプを支持する係合部とを備えた無電極放電ランプ用照明装置であって、係合部を弾性を有するものとするとともに、ランプがコイル部または基台に着脱自在に係止された押さえ具にてその略球状の上部を押圧されて保持されるようなしたことを特徴としている。
【０００９】
この構成により、周囲にその内部の封入物を励起させるコイル部の設けられる、下方に被係合部となる口金をもった略球状の発光部を備えたランプが、その口金を、該コイル部を支持する基台上面に設けられた弾性を有する係合部に係合させて支持させ、且つその略球状の上部を、同コイル部または基台に着脱自在に係止された押さえ具にて押圧されて保持される。
【００１０】
そして、上記口金を、Ｅベース等の雄ねじの形成されたものとし、係合部にはその雄ねじに対応する雌ねじを形成している。
【００１１】
この場合、ランプが、そのＥベース等の雄ねじの形成された口金を、その雄ねじに対応する雌ねじの形成された弾性を有する係合部に係合させて該コイル部を支持する基台上面に支持される。
【００１２】
また、上記押さえ具を複数の線材にて形成し、同線材の少なくとも一端にコイル部または基台に設けられた係止部に係止される被係止部を設けるのが好ましい。
【００１３】
この場合、ランプは、その略球状の上部が、複数の線材にて形成された、少なくとも同線材一端の被係止部をコイル部または基台に設けられた係止部に着脱自在に係止させた押さえ具にて押圧されて保持される。
【００１４】
【発明の実施の形態】
図１乃至図５は、本発明の請求項１乃至３全てに対応する一実施の形態を示し、図１は、本発明の一実施の形態の無電極放電ランプ用照明装置の概略構成を示す斜視図である。図２は、同無電極放電ランプ用照明装置の側面を示す部分断面図である。図３は、同無電極放電ランプ用照明装置のコイル部の説明図である。図４は、同無電極放電ランプ用照明装置の係止部の説明図である。図５は、同無電極放電ランプ用照明装置の、他の実施例による概略構成の説明図である。
【００１５】
この実施の形態の無電極放電ランプ用照明装置１は、内部に封入物が封入されて下方に被係合部となる口金２２をもった略球状の発光部２１を備えたランプ２と、同ランプ２の周囲に設けられて前記封入物を励起させるコイル部５と、同コイル部５を支持する基台３上面に設けられて口金２２に係合しランプ２を支持する係合部４とを備えた無電極放電ランプ用照明装置であって、係合部４を弾性を有するものとするとともに、ランプ２がコイル部５または基台３に着脱自在に係止された押さえ具６にてその略球状の上部を押圧されて保持されるようなしている。
【００１６】
又、該実施の形態の無電極放電ランプ用照明装置１においては、口金２２を、Ｅベース等の雄ねじ２３の形成されたものとし、係合部４にはその雄ねじ２３に対応する雌ねじ４１を形成してもいる。又、該実施の形態の無電極放電ランプ用照明装置１においては、押さえ具６を複数の線材６１にて形成し、同線材６１の少なくとも一端にコイル部５または基台３に設けられた係止部７に係止される被係止部６２を設けてもいる。
【００１７】
詳しくは、この無電極放電ランプ用照明装置１は、例えば橋梁、ビルの壁面、水中等の保守作業の困難な場所に使用して最適な省メンテナンスを図った照明装置で、ランプ２と、同ランプ２の口金２２に係合する係合部４、ランプ２周囲に位置するコイル部５を有する基台３とを備えている。
【００１８】
ランプ２は、その外部から高周波磁界を加えると内部に封入された封入物が励起されて発光する無電極放電ランプで、封入物として例えば水銀蒸気のような中圧ないし高圧のイオン化可能ガスを封入してガラスにて形成された略球状の発光部２１と、同発光部２１の封止用として設けられている口金２２とを有している。口金２２は、発光部２１の封止部分を覆うもので、この場合、図２に示すように、例えばＥベースと呼ばれている雄ねじ２３がその金属シェルの外郭に形成されている。
【００１９】
基台３は、この場合、アルミダイカストにて形成された下面開口の略円筒体で、その上面側には、後述する係合部４と、同係合部４周囲に設けられる支持片５３にて支持されたコイル部５とが設けられている。この基台３の内部には、後述するこのコイル部５のコイル体５１に接続されて、そのコイル体５１へ高周波電流を通電するための高周波出力回路を設けた回路基板（図示せず）が設けられており、底部に図示していない蓋体が設けられている。
【００２０】
係合部４は、ランプ２の口金２２に係合してランプ２を保持するとともに、同ランプ２から伝導する熱が基台３側に伝達されるの防止するためもので、この場合、上方開口の略円筒体の内壁に、上記口金２２のＥベースの雄ねじ２３に対応する雌ねじ４１を有してゴム材料等の弾性材料にて形成されている。この係合部４は、その周囲に後述する支持片５３の下端部が固着されて、図１に示すように、基台３の略中央にその下部が埋設され固着されている。したがって、後述するコイル部５がランプ２の発光部２１の適切な位置となるよう、雌ねじ４１に雄ねじ２３の形成された口金２２を任意の高さ寸法に係合させて、ランプ２を基台上面に弾性をもってランプ２を支持し、略球状の発光部２１の周囲にその支持片５３にて支持されたコイル部５を適切な位置にてほぼ均等に密接させることができる。
【００２１】
コイル部５は、図３の発光部２１の横断面図に示すように、銅または銅合金による条材を所定回数巻回して形成されたコイル体５１と、このコイル体５１を巻回すための略円環状の巻枠部をもった耐熱性合成樹脂材料製のコイル枠５２とを有している。コイル枠５２は、同図に示す如く、コイル体５１が発光部２１周囲に密接するよう、巻枠部の円環が例えば３点にて接触してその内側にランプ２の発光部２１が挿通可能となるよう内径寸法の設定がされており、また、その外周の所定位置に、その下端部が上記係合部４の外周に固着されている支持片５３を一体に有して形成されている。支持片５３の基端部には、この場合、図４に示すように、後述する押さえ具６の線材６１一端に設けられている被係止部６２を係止するための凹所７１の設けられる係止部７が形成されている。
【００２２】
押さえ具６は、例えば図１に示すように、その一端に上記係止部７に係止される略角状の合成樹脂にて形成された被係止部６２（図４参照）を有する、ステンレス等のばね性金属材による３本の線材６１の他端に、略円盤状の合成樹脂製の押さえ片６３が一体化されて設けられている。この押さえ具６は、押さえ片６３にてランプ２の略球状の上部を押圧するようにばね性をもって、図４に示す如く、被係止部６２がコイル部５の係止部７に着脱自在に係止されコイル部５に装着される。
【００２３】
上記の無電極放電ランプ用照明装置１においては、下方に被係合部となる口金２２をもった略球状の発光部２１を備えたランプ２を、基台３上面に設けられた弾性を有する係合部４にその口金２２を係合させて支持させ、その略球状の発光部２１上部を、係止部７に着脱自在に係止された押さえ具６にて押圧するように保持させる。このときランプ２の発光部２１周囲に設けられる、ランプ２内部の封入物を励起させる、基台３上面側に設けられているコイル部５が、ランプ２の発光部２１の適切な位置となるよう雌ねじ４１に、雄ねじ２３の形成された口金２２を任意の高さ寸法に係合されるとともにその発光部２１自体にて位置決めされて変位自在に支持される。しかして発光部２１の周囲にコイル部５をほぼ均等に密接させてすることができるのである。
【００２４】
また、このときにランプ２を、そのＥベース等の雄ねじ２３の形成された口金２２を、その雄ねじ２３に対応する雌ねじ４１の形成された弾性を有する係合部４に係合させて、容易に離脱することなく基台３上面の適切な高さ位置に確実に支持させることができる。さらにランプ２は、その略球状の上部を、複数の線材６１にて形成され、その線材６１一端の被係止部６２をコイル部５に設けられた係止部７に着脱自在に係止させた押さえ具６にて容易に押圧させ保持させることができるので、ランプ２を取り替えて、より容易且つ確実に設置できるのである。
【００２５】
したがって、以上説明した無電極放電ランプ用照明装置によると、周囲にその内部の封入物を励起させるコイル部５の設けられる、下方に被係合部となる口金２２をもった略球状の発光部２１を備えたランプ２が、その口金２２を、該コイル部５を支持する基台３上面に設けられた弾性を有する係合部４に係合させて支持させ、且つその略球状の上部を、同コイル部５に着脱自在に係止された押さえ具６にて押圧されて保持されるので、コイル部５を略球状のランプ２周囲の適切な位置に位置させてランプ２自体を効率よく発光させることができて、且つランプ２単体の交換を容易にできる。
【００２６】
そして、ランプが、そのＥベース等の雄ねじ２３の形成された口金２２を、その雄ねじ２３に対応する雌ねじ４１の形成された弾性を有する係合部４に係合させてコイル部５を支持する基台３上面に支持されるので、ランプ２を基台３上面の適切な高さ位置により確実に支持させることができ、以て、より効率よく発光させることができる。また、ランプ２は、その略球状の上部が、複数の線材６１にて形成された、少なくとも同線材６１一端の被係止部６２をコイル部５または基台３に設けられた係止部７に着脱自在に係止させた押さえ具６にて押圧されて保持されるので、ランプ２を取り替えて、より容易且つ確実に設置できる。
【００２７】
なお、本発明は、上記に示したもの以外に、例えば、図５に示すように、係合部４を、同図（ｂ）に示す如く、剛部材の内部に弾性部材４２を挿入して弾性をもたせるとともに雌ねじを形成することなくＥベース等の雄ねじの形成された口金２２を支持するもの、押さえ具を、同図（ａ）に示す如く、複数の線材６１の両端に被係止部６２を設けて形成し上下に分割したコイル枠５２にて狭持させたもの、あるいは図示していないが、押さえ具の被係止部を基台に係止部を設けて係止させたもの等、各種の実施形態のものを含むことは言うまでもない。
【００２８】
【発明の効果】
本発明の無電極放電ランプ用照明装置は、上述の実施態様の如く実施されて、周囲にその内部の封入物を励起させるコイル部の設けられる、下方に被係合部となる口金をもった略球状の発光部を備えたランプが、その口金を、該コイル部を支持する基台上面に設けられた弾性を有する係合部に係合させて支持させ、且つその略球状の上部を、同コイル部または基台に着脱自在に係止された押さえ具にて押圧されて保持されるので、コイル部を略球状のランプ周囲の適切な位置に位置させてランプ自体を効率よく発光させることができて、且つランプ単体の交換を容易にできる。
【００２９】
そして、ランプが、そのＥベース等の雄ねじの形成された口金を、その雄ねじに対応する雌ねじの形成された弾性を有する係合部に係合させて該コイル部を支持する基台上面に支持されるので、ランプを基台上面の適切な高さ位置により確実に支持させることができ、以て、より効率よく発光させることができる。
【００３０】
また、ランプは、その略球状の上部が、複数の線材にて形成された、少なくとも同線材一端の被係止部をコイル部または基台に設けられた係止部に着脱自在に係止させた押さえ具にて押圧されて保持されるので、ランプを取り替えて、より容易且つ確実に設置できる。
【００３１】
【図面の簡単な説明】
【図１】本発明の一実施の形態の無電極放電ランプ用照明装置の概略構成を示す斜視図である。
【図２】同無電極放電ランプ用照明装置の側面を示す部分断面図である。
【図３】同無電極放電ランプ用照明装置のコイル部の説明図である。
【図４】同無電極放電ランプ用照明装置の係止部の説明図である。
【図５】同無電極放電ランプ用照明装置の、他の実施例による概略構成の説明図である。
【符号の説明】
１    無電極放電ランプ用照明装置
２    ランプ
２１  発光部
２２  口金
２３  雄ねじ
３    基台
４    係合部
４１  雌ねじ
５    コイル部
６    押さえ具
６１  線材
６２  被係止部
７    係止部
【図１】
0003711793.tif 000002
【図２】
0003711793.tif 000003
【図３】
0003711793.tif 000004
【図４】
0003711793.tif 000005
【図５】
0003711793.tif 000006